(57)【要約】【課題】本願発明は、簡単な構造で、容易に寒冷紗を寒冷紗巻取り軸に取付けることができる寒冷紗巻取り軸の寒冷紗係止機構を提供することを課題としている。【解決手段】寒冷紗巻取り軸に寒冷紗の係止部を備えるとともに、該係止部は寒冷紗巻取り軸に開口を設け、該開口の表面形状は寒冷紗巻取り軸の巻取り方向に向けて突起を有する寒冷紗巻取り軸の寒冷紗係止機構。【選択図】図１
2013230131.tif 000002
【特許請求の範囲】
【請求項１】
寒冷紗巻取り軸に寒冷紗の係止部を備えるとともに、該係止部は寒冷紗巻取り軸に開口を設け、該開口の表面形状は寒冷紗巻取り軸の巻取り方向に向けて突起を有することを特徴とする寒冷紗巻取り軸の寒冷紗係止機構。
【請求項２】
前記係止部は前記寒冷紗巻取り軸の円周内におさまる形状とすることを特徴とする請求項１記載の寒冷紗巻取り軸の寒冷紗係止機構。
【発明の詳細な説明】
【技術分野】
【０００１】
本発明は、茶葉を摘採する前に、茶樹の上に被覆した寒冷紗を巻き取る装置に関するものであり、詳しくは寒冷紗の係止機構を備えた寒冷紗巻取り軸に関するものである。
【背景技術】
【０００２】
茶樹の新芽は、成長中に遮光することによって葉緑素が増え、茶葉の色が鮮緑色になると同時に、テアニンなどのアミノ酸類が増加し、苦渋味の成分であるタンニンは減少する。このため、昔から、てん茶、玉露、かぶせ茶などが製造されてきたが、近年では、一般的な煎茶の場合でも、品質向上のために簡易被覆（低い遮光率で、短期間）を行うことが増加傾向にある。この簡易的な被覆材として寒冷紗を用い、その被覆方法としては、寒冷紗を被覆する棚を作る方法や、茶樹の上に直接被覆する方法などがあるが、現在は茶樹の上に直接被覆することが多い。
【０００３】
茶園用の寒冷紗は、茶畝にあわせた約１８０〜２３０センチメートルの幅で、約５０メートルの長さである。保管時は、約１８０〜２３０センチメートルの幅で巻いてある状態で保管してあり、被覆時には、茶畝の一端で茶樹と寒冷紗を固定し、巻いてある寒冷紗を作業者が手で広げ、茶樹の上に被覆していた。そして、茶葉を摘採する直前に、この茶樹の上を覆っている寒冷紗を巻き取る必要があり、被覆する時と同様に、作業者が手作業で寒冷紗を巻き取っていた。巻き取った寒冷紗は約１５キログラムあり、重く、巻取り作業には茶畝の両側に作業員が一人ずつ必要だった。そして、巻き取った寒冷紗を茶樹の上に載せると、茶樹の新芽が傷つき、摘採後の茶葉および製茶後の茶製品の品質が低下してしまうため、茶樹の上に荷重がかからないように、保持する必要があった。重い寒冷紗を持ちながら茶園内を移動し、茶園全体で何十回もこの作業を繰り返す必要があり、大変な重労働だった。
【０００４】
そこで、近年では、特許文献１、２、３が発明されていた。モータなどの駆動手段で寒冷紗を巻き取るためには、寒冷紗の一端を寒冷紗巻取り軸に一時固定する必要がある。そのため、特許文献１、２のような発明がされていた。特許文献１、２のように固定する以外には、寒冷紗を寒冷紗巻取り軸にガムテープなどで貼り付けたり、紐で固定したりしていた。
【先行技術文献】
【特許文献】
【０００５】
【特許文献１】特開２００２−１７１８４４号公報
【特許文献２】実用新案登録第３０９０９３０号公報
【特許文献３】特願２０１１−２３６１５５
【発明の概要】
【発明が解決しようとする課題】
【０００６】
特許文献１、２は、構造が複雑であり、寒冷紗を寒冷紗巻取り軸へ係止する作業と寒冷紗巻取り軸を製造する作業の両方が困難であった。また、特許文献１、２のような寒冷紗巻取り軸は先端に寒冷紗を係止する部分があるため、特許文献３のような装置には利用することができなかった。
【０００７】
ガムテープなどで貼り付けたり、紐で固定した場合、ガムテープや紐などが茶樹の中に落下するおそれがあり、落下したガムテープや紐などを茶葉の摘採時に茶葉と一緒に回収してしまうと、異物混入となってしまう問題があった。そのため、ガムテープや紐などの使用を避ける必要があった。
【０００８】
本願発明は、簡単な構造で、容易に寒冷紗を寒冷紗巻取り軸に取付けることができ、特許文献３のような装置にも利用可能な寒冷紗巻取り軸の寒冷紗係止機構を提供することを課題としている。
【課題を解決するための手段】
【０００９】
本発明の第１手段は、寒冷紗巻取り軸に寒冷紗の係止部を備えるとともに、該係止部は寒冷紗巻取り軸に開口を設け、該開口の表面形状は寒冷紗巻取り軸の巻取り方向に向けて突起を有する寒冷紗巻取り軸の寒冷紗係止機構。第２手段は、前記第１手段において前記係止部は前記寒冷紗巻取り軸の円周内におさまる形状とする。
【発明の効果】
【００１０】
本発明は、寒冷紗巻取り軸への加工のみという簡単な構造であり、他に構成する部品を要しないため、安価に製作可能である。寒冷紗巻取り軸の両端には係止部がないため、寒冷紗巻取り軸を片持ちでも両持ちでも利用可能である。寒冷紗巻取り軸を反転すると、係止部の突起から寒冷紗を外すことができ、寒冷紗巻取り軸を寒冷紗から抜き取ることができる。本発明の第２手段のように係止部の突起が寒冷紗巻取り軸から出ていないので、寒冷紗を寒冷紗巻取り軸から抜き取ることが容易であり、寒冷紗に引っかかることによって傷つけることがない。また、再び寒冷紗巻取り軸を差し込むことも可能である。
【図面の簡単な説明】
【００１１】
【図１】図１は寒冷紗巻取り軸の一例を示した説明図である。
【図２】図２は図１のＸ−Ｘ’断面図である。
【図３】図３は寒冷紗を寒冷紗巻取り軸に係止する説明図である。
【図４】図４は寒冷紗を寒冷紗巻取り軸に係止した説明図である。
【図５】図５は係止部の他の実施例を示した説明図である。
【図６】図６は係止部の他の実施例を示した説明図（断面）である。
【図７】図７は寒冷紗を巻き取る装置の説明図である。
【図８】図８は寒冷紗を巻き取る装置の説明図である。
【図９】図９は寒冷紗を巻き取る装置の他の実施例の説明図である。
【発明を実施するための形態】
【００１２】
図１、２を参照して、寒冷紗巻取り軸２１の係止機構について説明する。寒冷紗巻取り軸２１は、寒冷紗３２の巾にあわせて１８０〜２３０センチメートルの巾（長さ）があり、この巾の適宜な箇所に係止部２４を設ける。寒冷紗３２を固定する両端及び中央部１箇所以上に係止部２４を設けるのが望ましいが、それ以下でも以上でも構わない。係止部２４は寒冷紗巻取り軸２１の巻取り方向（矢印）に向かって突起を有する開口２５であり、突起２６は寒冷紗巻取り軸２１の円周内におさまる形状とし、寒冷紗巻取り軸２１が回転したときに回転軌道から出ることのない形状とする。
【００１３】
図３、４は寒冷紗３２を寒冷紗巻取り軸２１に係止しているものであり、係止部２４の突起２６に引っ掛けている。寒冷紗は図４のように２〜５ミリメートル程度の巾の帯状のシートを０．５〜３センチメートル間隔で編んでいるものが多く、編み部と編み部の間のシートを引っ掛ける。その他、格子の網の目状になっているものは格子の網の目を引っ掛ける。引っ掛ける部分がない寒冷紗の場合は、係止孔を開けてもよい。寒冷紗３２を寒冷紗巻取り軸２１に巻き取った後、寒冷紗巻取り軸２１を巻取り方向の反対方向へ半周程度回転させると係止部２４の突起２６から寒冷紗３２が外れるので、寒冷紗巻取り軸２１を引き抜くことができる。
【００１４】
図５、６には、係止部の他の形状の例を示す。図５（イ）（ロ）のように、突起は複数でもよい。図６（イ）のように、係止部が円周上の別位置に複数あると、係止部を探して寒冷紗巻取り軸を回転させることが少なくてすむ。図６（ロ）（ハ）のように、寒冷紗巻取り軸は中空でなくてもよい。
【００１５】
次に上記のような寒冷紗巻取り軸２１を用いた寒冷紗巻取り装置Ｂを乗用型茶葉摘採機Ａに搭載した例を説明する。まず、乗用型茶葉摘採機Ａについて説明する。機体１は茶樹１６を跨ぐ門型の形状となっており、茶樹１６の両脇に走行装置２を備えて機体１を走行させる。この走行装置２はエンジン３、油圧ポンプ４などの駆動源により駆動され、走行する。本実施例ではバリカン型の刈刃５を備えており、この刈刃５の少し手前には、摘採した茶葉を吹き飛ばす送風管６を設け、フレキシブルホース（寒冷紗を巻き取るときには不要であり、図示しない）によって接続したブロア８から風を送る。刈刃５の後方には摘採した茶葉を収容する茶袋を保持するための茶袋保持板９が接続されている。この茶袋保持板９の後部には、アタッチメント取付部１０を設けてある。これらの刈刃５、送風管６、茶袋保持板７、アタッチメント取付部１０は一体となっており、茶樹１６の高さに合わせて、上下に昇降可動となっている。ステップ１１は作業者が乗り、シート１２は作業者が座る部分であり、作業者は走行ハンドルや刈刃スイッチなどの操作部１３を操作して、乗用型茶葉摘採機Ａを走行させながら、摘採を行なう。
【００１６】
次に、寒冷紗巻取り装置Ｂについて説明する。寒冷紗巻取り軸２１は駆動手段であるモータ２２によって回転する。モータ２２の電源スイッチは、遠隔操作が可能としてある。寒冷紗巻取り軸２１の両端には巻取りガイド２３を備え、寒冷紗３２をキレイに巻き取るようになっている。茶園用寒冷紗巻取り装置Ｂのフレーム２７には取付部３１を備えており、乗用型茶葉摘採機Ａのアタッチメント取付部１０に引っ掛けて取付ける形状となっている。これにより、工具不要で着脱自在である。
【００１７】
茶園用寒冷紗巻取り装置Ｂの左側のフレーム２７をヒンジ２８により開閉自在の扉２９とする。巻取り時には扉２９を閉鎖して、固定具３０で固定し、巻き取った寒冷紗３２を取外すときには、固定具３０の固定を解除し、扉２９を開き、寒冷紗巻取り軸２１を巻取り方向と反対方向に半周程度回転させ、寒冷紗３２を係止部２４の突起２６から外して、寒冷紗３２を抜き取る。この時、寒冷紗３２は寒冷紗巻取り軸２１ごと抜くことも、寒冷紗巻取り軸２１を残して寒冷紗３２のみ抜くことも可能である。
【００１８】
上記のような装置により、茶樹１６の上に被覆してある寒冷紗３２を巻き取る作業を説明する。まず、作業者が巻き取る寒冷紗３２の一端を寒冷紗巻取り軸２１の係止部２４の突起２６に引っ掛けて、に固定する。そして、作業者はシート１２に座り、茶園用寒冷紗巻取り装置Ｂのモータ２２の電源スイッチを入れ、乗用型茶葉摘採機Ａを後方へ走行させる。すると、茶園用寒冷紗巻取り装置Ｂの寒冷紗巻取り軸２１に寒冷紗３２を巻き取りながら、乗用型茶葉摘採機Ａは後方へ走行していく。
【００１９】
約５０メートルの寒冷紗３２を１枚巻き取ると、茶園用寒冷紗巻取り装置Ｂの左の扉２９を開き、寒冷紗巻取り軸２１または寒冷紗３２を回転させ、寒冷紗３２を係止部２４の突起２６から外して、寒冷紗３２を茶園用寒冷紗巻取り装置Ｂから取り外す。そして、次の寒冷紗３２の一端へ移動し、再び寒冷紗３２を係止部２４の突起２６に引っ掛けて、同様に、巻取り作業を行なう。
【００２０】
寒冷紗３２を茶樹１６上に被覆する場合には、巻いてある寒冷紗３２を茶園用寒冷紗巻取り装置Ｂの寒冷紗巻取り軸２１にセットし、寒冷紗３２を被覆する茶樹１６へ乗用型茶葉摘採機Ａを移動し、寒冷紗３２の一端を茶樹１６へ固定し、乗用型茶葉摘採機Ａを前方へ走行させる。寒冷紗巻取り軸２１をモータ２２によって駆動させなくても、寒冷紗巻取り軸２１が回転し、寒冷紗３２を広げ、茶樹１６上に被覆することができる。
【００２１】
上記には茶園用寒冷紗巻取り装置Ｂを乗用型茶葉摘採機Ａに搭載する例を示したが、通常は防除や施肥を行う乗用型茶園管理機に搭載しても同様である。また、搭載する位置や進行方向はこの限りではない。
【００２２】
図９のように、寒冷紗巻取り軸にハンドルを取り付け、作業者がハンドルを回転させて、寒冷紗を巻き取っていくことも可能である。
【符号の説明】
【００２３】
Ａ    乗用型茶葉摘採機
Ｂ    茶園用寒冷紗巻取り装置
１    機体
２    走行装置
３    エンジン
４    油圧ポンプ
５    刈刃
６    送風管
８    ブロア
９    茶袋保持板
１０    アタッチメント取付部
１１    ステップ
１２    シート
１３    操作部
１６    茶樹
２１    寒冷紗巻取り軸
２２    モータ
２３    巻取りガイド
２４    係止部
２５    開口
２６    突起
２７    フレーム
２８    ヒンジ
２９    扉
３０    固定具
３１    取付部
３２    寒冷紗
３６    ハンドル
【図１】
2013230131.tif 000003
【図２】
2013230131.tif 000004
【図３】
2013230131.tif 000005
【図４】
2013230131.tif 000006
【図５】
2013230131.tif 000007
【図６】
2013230131.tif 000008
【図７】
2013230131.tif 000009
【図８】
2013230131.tif 000010
【図９】
2013230131.tif 000011